(57)【特許請求の範囲】
【請求項１】
換気機能を果たす本体の前部に吸込口となる開口部を有し、この開口部の口縁部には外向きに張出し自由端側が後方に向って延出する縁枠部をなすフランジを備えた換気装置であって、そのフランジの背面に当該換気装置の取付けに供する木ネジ等の取付部品を係脱可能に保持する保持構造を一体に構成し、この保持構造は、前記取付部品を前記縁枠部内に収まるように前記取付部品を前記フランジの背面との間に隙間ができる斜めの状態に、その取付部品の基部を宛がう枕部と、保持部によって装着でき、その取付部品の先端部を囲うガード部を備えている構成である換気装置。
【発明の詳細な説明】
【０００１】
【発明の属する技術分野】
本発明は、取付けに供する取付部品を具備させて梱包する換気装置に関するものである。
【０００２】
【従来の技術】
換気装置にはその本体を建物に設けた取付構造にネジ等の取付部品を使って取付けるものや、ダクトやパイプに本体を差込み、本体に備えられた板バネのバネ力により取付けるものや、取付部品を使っても使わなくても取付けることができるものなどがある。取付部品により取付けることができる換気装置では、多くがその取付けに供せられる取付部品は、付属品として換気装置に同梱されている。取付部品は小部品であるため、散逸を防ぐ意味でこれまでは図６や図７に示すように換気装置の本体３０の吸込口３１の外方に張出すフランジ３２の背面などにテープ３３により直接貼り付けて固定したり、ビニル袋３４に入れて貼り付けたりして本体３０に同梱されている。換気装置の取付けに際しては、テープ３３あるいはビニル袋３４を剥がし、取付部品３５を取出して本体３０のフランジ３２にある取付孔から取付構造３６に対して取付部品３５による取付けを行う。取付部品３５の不要な場合には予め取付部品３５を本体３０から除去しておいて、本体３０を取付けている。
【０００３】
【発明が解決しようとする課題】
上記した従来の換気装置においては、製造における最終工程で取付部品３５を換気装置一つ一つにテープ３３で貼り付けたり、取付部品３５の入ったビニル袋３４を貼り付ける作業が必要であり、梱包作業が煩雑なうえ、テープ３３やビニル袋３４といった資材も必要なためコストが高くついていた。
【０００４】
本発明は、係る従来の問題点を解決するためになされたものであって、その課題とするところは、換気装置の低コスト化を達成することであり、取付部品を簡単に取扱うことができる換気装置を得ることである。
【０００５】
【課題を解決するための手段】
前記課題を達成するために請求項１の発明は、換気機能を果たす本体の前部に吸込口となる開口部を有し、この開口部の口縁部には外向きに張出し自由端側が後方に向って延出する縁枠部をなすフランジを備えた換気装置について、そのフランジの背面に当該換気装置の取付けに供する木ネジ等の取付部品を係脱可能に保持する保持構造を一体に構成し、この保持構造は、取付部品を縁枠部内に収まるように取付部品をフランジの背面との間に隙間ができる斜めの状態に、その取付部品の基部を宛がう枕部と、保持部によって装着でき、その取付部品の先端部を囲うガード部を備えている構成とする手段を採用する。
【０００９】
【発明の実施の形態】
図１〜図５によって示す本実施の形態はパイプやダクトの内側に嵌め装着される換気装置及び天井に埋込んで装着される換気装置に関するものである。この換気装置は、風洞を構成する樹脂製の本体１と、羽根車２と電動機３よりなる送風機とを主体として構成されている。本体１は、前部に吸込口となる開口部４を有し、この開口部４の口縁部には半径方向に張出すフランジ５を備えた風洞を構成する円筒状の胴部の後端側に、電動機構成部６を設けた樹脂による一体成形物として構成されている。風洞のフランジ５は、自由端側が後方に向って延出する縁枠部７をなし本体１の前面部を構成する。縁枠部７には図２に示すように長孔８を有する取付構造９が対向状に二つ設けられ、その各長孔８はフランジ５の前面に形成された取付孔に繋がっている。
【００１０】
フランジ５の背面には、当該換気装置の取付けに供する取付部品である木ネジ（本実施の形態では二本であるが四本である場合もある）１０を係脱可能に保持する保持構造１１が一隅部に一体に構成され、この保持構造１１により木ネジ１０が縁枠部７の高さ内に収まるようにまとめられて保持されている（図１，図２参照）。保持構造１１は、二本の木ネジ１０のネジ部の略中央を背面側からそれぞれ並べて係合させ得る突起状の保持部１２と、保持部１２に並んで突起状に形成され、保持部１２の保持箇所より突出量が若干大きく、各木ネジ１０のネジ部の基部を宛がう枕部１３と、各木ネジ１０のネジ部先端を外側から囲むガード部１４とからなる。
【００１１】
二本の木ネジ１０は、上述した保持構造１１に少しの間隔をおいてネジ先端部が互いに近接し、頭部が少し離反する形態で係脱可能に保持されている。保持された各木ネジ１０は、枕部１３により図３に示すようにフランジ５の背面との間に頭部側ほど広い隙間１５ができる斜めの状態になっている。
【００１２】
電動機構成部６は、周方向に間隔をおいて胴部の中心線方向に沿って延出する三本の脚部１６と、この脚部１６によって支持されたカバー部１７とからなる。三本の脚部１６は、いずれも胴部の外周より内側にあり、その二本の外側に半径方向への拡開弾力により本体１をパイプ内に保持するための反り付きの板バネ１８が装着されている。カバー部１７は三本の脚部１６によって胴部の中心線上に支持されていて、胴部側に軸挿通孔を有し、反胴部端側の開放した円形丸底の開放容器状をなし、電動機３の出力軸側の外殻の大半を構成する。カバー部１７の開放端側には半径方向に張出す数個のネジ嵌め構造が周方向に間隔をおいて設けられている。カバー部１７の胴部側の角部は空気抵抗の少ない面取り形状又はＲ形状に形成されている。
【００１３】
送風機の電動機３は、固定子と回転子とからなる電動機本体を出力軸側のカバーと固定子側のキャップ１９とからなる外殻で内包した外転形電動機であるが、そのカバーは本体１に一体成形された電動機構成部６のカバー部１７によって構成される。従って、組付け前の電動機３はカバーを欠く非完成形態である。電動機本体にはその固定子の外周に半径方向に張出す数個の固定構造が周方向に間隔をおいて設けられている。
【００１４】
電動機３のキャップ１９は樹脂により浅底容器状に構成され、固定子側端に配設された電気部品や電気回路の充電部を被冠する。キャップ１９の口縁には半径方向に張出す数個の固定構造が周方向に間隔をおいて設けられている。この固定構造と電動機構成部６のネジ嵌め構造と電動機本体の固定構造とは整合するように構成されている。電動機本体の回転子側を、その出力軸がカバー部１７の軸挿通孔から胴部内に突出するようにカバー部１７に収め、キャップ１９を装着し、キャップ１９の固定構造側から電動機本体の固定構造を通して電動機構成部６のネジ嵌め構造へネジ２０を締め込むことにより、本体１の電動機構成部６に電動機３が構成される。本体１に構成された電動機３の胴部内の中心線上に延出する出力軸に軸流形の羽根車２が胴部内で回転できるように嵌め装着される。そして、本体１の前面部は、通風可能に構成された着脱可能の化粧グリル２１の装着により被覆され、室内に臨まされる。
【００１５】
この換気装置は、電動機本体とキャップ１９を部品として本体１のカバー部１７に組付けることにより電動機３が完成形態となるとともに、電動機３の本体１への固定も完了するため、部品点数が少なく組立作業も平易で、工程数も少ない。従って、製造コストは大幅に低減する。三本の脚部１６はカバー部１７によって連結しているため電動機３を支持する強度が容易に得られ、脚部１６の肉厚を厚くしたり、高強度の樹脂を用いたりする対策を講じる必要もないことから、コストの低減に大いに寄与することになる。電動機３は内転形電動機を採用しても同様な構成が可能である。
【００１６】
この種の換気装置では本体１の取付けは、胴部に設けられた板バネ１８の拡開弾力により木ネジ１０を使わずに行われることが多いが、建物に設けられた木枠に木ネジ１０で締め固定して取付けることもある。木ネジ１０を取付けに使用しない場合には、そのまま保持構造１１に木ネジ１０を保持させたままにしておく。保持構造１１に保持されている木ネジ１０は縁枠部７の高さの範囲に収まっているため、本体１の取付けになんら支障をきたさないし、外部から見えないので意匠性も損なわない。後日、木ネジ１０が必要になるようなことがあっても散逸しないため都合がよい。
【００１７】
木ネジ１０を使って取付ける場合には、保持構造１１から木ネジ１０を外して本体１の取付構造９を木枠にネジ締め固定する。保持構造１１に保持されている木ネジ１０は、頭部がフランジ５の背面から持ち上がった状態で相互に少し離反しているため、図４に示すように頭部の下に指先を入れ持ち上げるだけで容易に取外すことができる。尖ったネジ先端部はカード部１４で囲まれ、フランジ５の背面に密接しているため、引っ掛かったり、危険なネジ先端部側から木ネジ１０を取外すような不適当な操作は行われない。
【００１８】
換気装置の製造に当っては、木ネジ１０をテープで本体１に貼り付けたり、ビニル袋に入れて本体１に貼り付けるような面倒な作業が不要であり、テープもビニル袋も必要としないため製造コストの低減を推進することができる。
【００１９】
なお、耐火性が要求されるような場所で使用する換気装置では、本体１を金属で構成することになるが、保持構造１１にエッジが出来易く、樹脂成形によるより保持構造１１の形成がやや難しいことになる。取付部品は木ネジ１０以外のビス類等であっても適用することができる。また、ダクトやパイプに装着する形式でない、図５に示すような野縁２２等に木ネジ１０等で取付ける天井埋込形の換気装置や、壁に開けられた開口部の木枠に木ネジ１０等で取付ける換気装置に対しても同様な仕方で適用できる。
【００２０】
【発明の効果】
本発明によれば、換気装置の低コスト化を達成することができる。そして、木ネジ等の取外しが簡単かつ容易にでき、その先端部が取外しに際して引っ掛かったりすることもない。
【図面の簡単な説明】
【図１】  実施の形態の換気装置の縦断側面図である。
【図２】  実施の形態の換気装置の一部に断面を含む背面図である。
【図３】  実施の形態の換気装置の保持構造部分の拡大断面図である。
【図４】  実施の形態の換気装置の木ネジの外し方を示す拡大断面図である。
【図５】  実施の形態の他の換気装置の縦断面図である。
【図６】  従来の換気装置の一部に断面を含む背面図である。
【図７】  従来の換気装置の一部に断面を含む背面図である。
【符号の説明】
１  本体、  ２  羽根車、  ３  電動機、  ４  開口部、  ５  フランジ、  ７  縁枠部、  ９  取付構造、  １０  木ネジ、  １１  保持構造、  １２  保持部、  １３  枕部、  １４  ガード部、  １５  隙間。
【図１】
0003788195.tif 000002
【図２】
0003788195.tif 000003
【図３】
0003788195.tif 000004
【図４】
0003788195.tif 000005
【図５】
0003788195.tif 000006
【図６】
0003788195.tif 000007
【図７】
0003788195.tif 000008